【手続補正書】
【提出日】平成24年1月5日(2012.1.5)
【手続補正１】
【補正対象書類名】特許請求の範囲
【補正対象項目名】全文
【補正方法】変更
【補正の内容】
【特許請求の範囲】
【請求項１】
複数の視点画像を所定の記憶媒体に入力する画像入力部と、
前記所定の記憶媒体に入力された複数の視点画像に基づいて所定の表示装置に立体画像を表示することが可能な表示制御部と、
を備え、
前記表示制御部は、前記画像入力部が複数の視点画像を所定の記憶媒体に入力した場合、平面画像終了の指示が入力されるまで、前記複数の視点画像のうち所望の基準視点画像に基づいて所定の表示装置に平面画像を表示するとともに、前記平面画像終了の指示が入力されたことに応じて所定の表示装置に前記立体画像を表示する立体画像表示装置。
【請求項２】
前記表示制御部は、前記平面画像終了の指示が入力されないまま所定の第１の待機時間が経過したことに応じて前記表示装置に前記立体画像を表示する請求項１に記載の立体画像表示装置。
【請求項３】
前記表示制御部は、前記基準視点画像および前記基準視点画像以外の視点画像である非基準視点画像の視差量を徐々に広げるずらし表示の終了の指示が入力されるまで、前記基準視点画像および前記非基準視点画像の視差量を所定量ずつずらして前記表示装置に立体画像を表示することを繰り返す請求項１に記載の立体画像表示装置。
【請求項４】
前記表示制御部は、前記ずらし表示の終了の指示が入力されるまで、前記基準視点画像および前記非基準視点画像の視差量を所定量ずつずらして前記表示装置に立体画像を表示することを、前記基準視点画像および前記非基準視点画像の視差量が所定の目標視差量に適合するまで繰り返す請求項３に記載の立体画像表示装置。
【請求項５】
前記画像入力部は、前記立体画像が表示された状態で立体画像終了指示が入力されないまま所定の第２の待機時間が経過したことに応じ、前記記憶媒体から既存の視点画像を消去し、前記記憶媒体に新たな複数の視点画像を入力する請求項１に記載の立体画像表示装置。
【請求項６】
画像入力部と、表示制御部とを備えた立体画像表示装置において、
前記画像入力部が、複数の視点画像を所定の記憶媒体に入力するステップと、
前記表示制御部が、前記画像入力部が複数の視点画像を所定の記憶媒体に入力した場合、平面画像終了の指示が入力されるまで、複数の視点画像のうち所望の基準視点画像に基づいて所定の表示装置に平面画像を表示するとともに、前記平面画像終了の指示が入力されたことに応じて、前記複数の視点画像に基づいて立体画像を所定の表示装置に表示するステップと、
を実行する立体画像表示方法。
【請求項７】
画像入力部と、表示制御部とを備えた立体画像表示装置において、
前記画像入力部が、複数の視点画像を所定の記憶媒体に入力するステップと、
前記表示制御部が、前記画像入力部が複数の視点画像を所定の記憶媒体に入力した場合、平面画像終了の指示が入力されるまで、複数の視点画像のうち所望の基準視点画像に基づいて所定の表示装置に平面画像を表示するとともに、前記平面画像終了の指示が入力されたことに応じて、前記複数の視点画像に基づいて立体画像を所定の表示装置に表示するステップと、
を実行するためのプログラム。
【請求項８】
複数の光学系の各々を介して結像した被写体像を撮像素子により光電変換して得られた複数の視点画像を、所定の記憶媒体に入力する撮像部と、
前記所定の記憶媒体に入力された複数の視点画像に基づいて所定の表示装置に立体画像を表示することが可能な表示制御部と、
を備え、
前記表示制御部は、前記撮像部が複数の視点画像を所定の記憶媒体に入力した場合、平面画像終了の指示が入力されるまで、前記複数の視点画像のうち所望の基準視点画像に基づいて所定の表示装置に平面画像を表示するとともに、前記平面画像終了の指示が入力されたことに応じて所定の表示装置に前記立体画像を表示する撮像装置。
【請求項９】
撮像部と、表示制御部とを備えた撮像装置において、
前記撮像部が、複数の光学系の各々を介して結像した被写体像を撮像素子により光電変換して得られた複数の視点画像を、所定の記憶媒体に入力するステップと、
前記表示制御部が、前記撮像部が複数の視点画像を所定の記憶媒体に入力した場合、平面画像終了の指示が入力されるまで、複数の視点画像のうち所望の基準視点画像に基づいて所定の表示装置に平面画像を表示するとともに、前記平面画像終了の指示が入力されたことに応じて、前記複数の視点画像に基づいて立体画像を所定の表示装置に表示するステップと、
を実行する立体画像表示方法。
【請求項１０】
撮像部と、表示制御部とを備えた撮像装置において、
前記撮像部が、複数の光学系の各々を介して結像した被写体像を撮像素子により光電変換して得られた複数の視点画像を、所定の記憶媒体に入力するステップと、
前記表示制御部が、前記撮像部が複数の視点画像を所定の記憶媒体に入力した場合、平面画像終了の指示が入力されるまで、複数の視点画像のうち所望の基準視点画像に基づいて所定の表示装置に平面画像を表示するとともに、前記平面画像終了の指示が入力されたことに応じて、前記複数の視点画像に基づいて立体画像を所定の表示装置に表示するステップと、
を実行するためのプログラム。
【手続補正２】
【補正対象書類名】明細書
【補正対象項目名】００２７
【補正方法】変更
【補正の内容】
【００２７】
撮影画像の記録について以下説明する。シャッタボタン６が押されたタイミングで第１撮影光学系１ａ、第２撮影光学系１ｂから取り込まれた画像は、それぞれアナログ信号処理部２７、３５で処理された後、Ａ／Ｄ変換器２９、３９でデジタル信号に変換され、それぞれ画像入力コントローラ３９ａ・３９ｂを介してデジタル信号処理部４１，４２に入力される。デジタル信号処理部４１，４２は、階調変換、ホワイトバランス補正、γ補正処理などの各種画像処理を第１・２画像データの各々に施す。デジタル信号処理部４１、４２で処理されて出力された第１・２画像データは、ＳＤＲＡＭ５２に記録される。圧縮伸張処理部４７は、記憶された第１及び第２画像データに対して、ＪＰＥＧ方式等の圧縮形式により圧縮処理を施す。ＳＤＲＡＭ５２は、この圧縮処理に必要な一時的記憶領域として用いられる。メディア制御部４８は、圧縮伸張処理部４７によって圧縮処理された各画像データを格納した画像ファイルをメモリカード４９に記録させる。なお、ＣＰＵ４０は操作部１０から３Ｄ画像撮影モードが選択された場合に限り、第１・２画像データを取得するよう第１撮影光学系１ａ、第２撮影光学系１ｂその他の各部を制御してもよい。
【手続補正３】
【補正対象書類名】明細書
【補正対象項目名】００２８
【補正方法】変更
【補正の内容】
【００２８】
このようにしてメモリカード４９に記録された第１及び第２画像データをモニター１１に再生表示させる場合、メモリカード４９に記録された各画像データは、メディア制御部４８によって読み出される。圧縮伸張処理部４７によって伸張処理が行われた各画像データは、３Ｄ画像生成部４５によって立体画像データに変換された後、表示制御部５６を介してモニター１１に再生表示される。
【手続補正４】
【補正対象書類名】明細書
【補正対象項目名】００３８
【補正方法】変更
【補正の内容】
【００３８】
１．複数の視差量diの平均値を最終視差量dに定める。
【手続補正５】
【補正対象書類名】明細書
【補正対象項目名】００５８
【補正方法】変更
【補正の内容】
【００５８】
Ｓ１４では、ＶＲＡＭ４３の第１・第２画像データの漸進的３Ｄ表示を行う。漸進的３Ｄ表示とは、第１・第２画像データの視差量すなわち水平方向の表示位置のずれが目標視差量に達するまで、モニター１１における第１・第２画像データの視差量をゼロの状態から徐々に広げていきながら３Ｄ表示を行うことである。第１・第２画像データの最初の表示位置ずれ量は０であるが、後述のＳ１６でこのずれ量は増加される。